(57)【特許請求の範囲】
【請求項１】
倒立した状態で設置された容器の下向きに位置した容器口に取付ける蓋体と、該蓋体に形成された開孔部に固定し、容器内部と連通する管状のチューブと、前記蓋体上部に立設された支柱と、該支柱の先端に設けられた軸部と、該軸部に回動自在に軸支され、前記チューブを折曲して閉塞状態にするレバーと、前記レバーと前記蓋体とを張架して閉塞状態を保持する保持体と、からなり、
前記レバーは、断面略くの字状の細長い板状体で、その一端側にチューブの注出口から閉塞部の間を下方から押圧する押圧部と、その他端側に操作部と、を有し、
前記チューブは、前記蓋体上部より垂下し、前記チューブの前記閉塞部から前記注出口までを前記押圧部によって上方向に折り畳むことで前記閉塞部を閉塞することを特徴とする容器蓋。
【請求項２】
チューブに隣接し容器内部と連通する第二チューブを有し、前記第二チューブは、前記チューブとレバーとの間に配設することを特徴とする請求項１記載の容器蓋。
【請求項３】
請求項１又は２のいずれか一項に記載の容器蓋を備え、支柱と嵌合する嵌合部と、平面に吸着する吸着部と、前記吸着部と平行に配置され前記嵌合部と前記吸着部とを支持する支持体と、からなる取付部材を有することを特徴とする容器。
【請求項４】
開口された容器底に取付ける空気孔を備えたキャップを有することを特徴とする請求項３記載の容器。 
【発明の詳細な説明】
【技術分野】
【０００１】
本発明は、注出用チューブを備えた容器蓋及びその容器蓋を備えた容器に関する。
【背景技術】
【０００２】
従来、飲料用容器の容器蓋は、蓋上部にチューブが設けられ、そのチューブを挟持して開閉することが出来る開閉手段を備え、容器蓋を容器口から外さなくとも内部の液体をチューブより注出することが可能な容器蓋及びその容器蓋を備えた容器が提案されている（例えば、特許文献１及び２参照）。
【先行技術文献】
【特許文献】
【０００３】
【特許文献１】特開２００４―２１７２６９号公報
【特許文献２】実開昭６１―１２３７３６号公報
【発明の概要】
【発明が解決しようとする課題】
【０００４】
しかしながら、通常の飲料水と比べて密度や粘性の高い液体（例えば液体洗剤など）が充填された容器の場合、従来の容器蓋ではチューブを挟持した閉塞状態に保持するための力が不十分であり、容器が転倒した際に密度や粘性の高い液体の液圧によってチューブの閉塞状態が開放され、液漏れが発生する恐れがある。
【０００５】
したがって、液体洗剤などの密度や粘性の高い液体であってもしっかりとチューブを閉塞することができる注出用チューブを備えた容器蓋及びその容器蓋を備えた容器を提供することを目的とする。
【課題を解決するための手段】
【０００６】
本発明の容器蓋は、上記課題に鑑み、倒立した状態で設置された容器の下向きに位置した容器口に取付ける蓋体と、該蓋体に形成された開孔部に固定し、容器内部と連通する管状のチューブと、前記蓋体上部に立設された支柱と、該支柱の先端に設けられた軸部と、該軸部に回動自在に軸支され、前記チューブを折曲して閉塞状態にするレバーと、前記レバーと前記蓋体とを張架して閉塞状態を保持する保持体と、からなり、
前記レバーは、断面略くの字状の細長い板状体で、その一端側にチューブの注出口から閉塞部の間を下方から押圧する押圧部と、その他端側に操作部と、を有し、
前記チューブは、前記蓋体上部より垂下し、前記チューブの前記閉塞部から前記注出口までを前記押圧部によって上方向に折り畳むことで前記閉塞部を閉塞することを特徴とする。
【０００７】
また、上述した容器蓋の構成に加え、チューブに隣接し、容器内部と連通する第二チューブを有し、前記第二チューブは、前記チューブとレバーとの間に配設することが好ましい。
【０００８】
上述した構成の容器蓋を備えた容器であって、支柱と嵌合する嵌合部と、平面に吸着する吸着部と、前記吸着部と平行に配置され前記嵌合部と前記吸着部とを支持する支持体と、からなる取付部材を有することを特徴とする。
【０００９】
また、上述した構成の容器蓋を備えた容器に加え、開口された容器底に取付ける空気孔を備えたキャップを有することが好ましい。
【発明の効果】
【００１０】
請求項１記載の発明によれば、レバーによってチューブを折曲して閉塞状態にし、保持体によってその閉塞状態を保持させることで、従来のチューブを挟持して閉塞するものに比べて、よりしっかりとチューブを閉塞状態にすることができ、液体洗剤などの密度や粘性の高い液体の液圧による閉塞部にかかる負荷に対して閉塞状態を十分に保持することが可能である。また、保持体の張力に抗してレバーをチューブの折曲げ方向の反対方向に回動操作することで、チューブを開放状態にし、容器内部の液体を注出することが可能である。
【００１１】
請求項２記載の発明によれば、容器内部に空気を流入させる第二チューブを設けることで、液体の注出を促進することができるとともに、一つのレバーの回動操作のみでチューブ及び第二チューブの閉塞状態と開放状態の切り替えることが可能である。      
【００１２】
請求項３記載の発明によれば、壁面や鏡面などの平面に対して吸着部で吸着して容器口を下向きに位置させて容器を倒立した状態で設置することができるとともに、容器を持たずに片手でレバーを回動操作する際に、吸着部及び支持体によって容器蓋を支持して安全に液体を注出する容器を提供することが可能である。
【００１３】
請求項４記載の発明によれば、開口された容器底から液体を容易に補充することができるとともに、空気孔より外部から空気を流入させることでチューブより連続的に注出させることが可能である。
【図面の簡単な説明】
【００１４】
【図１】本発明の実施形態に係る容器蓋の一例を示す斜視図である。
【図２】取付部材のみを示す斜視図である。
【図３】図１の容器蓋と図２の取付部材とを備えた容器を平面に倒立設置した状態を示す斜視図である。
【図４】図３のレバーの回動操作におけるチューブの(a)閉塞状態、(b)開放状態を示す断面図である。
【図５】図１に第二チューブを加えた容器蓋を示す斜視図である。
【図６】図５のレバーの回動操作におけるチューブ及び第二チューブの(a)閉塞状態、(b)開放状態を示す断面図である。
【図７】本発明のその他の実施形態に係る容器蓋の一例を示す斜視図である。
【発明を実施するための形態】
【００１５】
本発明の実施形態について図面に基づいて詳細に説明する。
【００１６】
（実施形態）
本発明の容器蓋は、図１に示すように、容器口９ａに取付ける蓋体２と、蓋体２に取付けられていて容器９内部と連通する管状のチューブ３と、蓋体２上部に立設された２本の支柱４、４と、２本の支柱４、４に回動自在に軸支され、チューブ３を折曲させ得るレバー６と、蓋体２とレバー６とに張架される保持体７と、を主要部として形成されている。
【００１７】
蓋体２は、蓋体２上部にチューブ３を固定して容器９内部と連通させるための開孔部２ａと、蓋体２側部に保持体７を掛止するフック状の第一掛止部２ｂを有する。
【００１８】
２本の支柱４、４は、蓋体２上部から立設して設けられた柱体であって、その柱体の先端部間にレバー６を回動自在に軸支する軸部５を有する。
【００１９】
レバー６は、断面略くの字状の細長い板状体で、その一端側をチューブ３の注出口３ａから閉塞部３ｂの間をテーパー状の面で押圧する押圧部６ａと、その他端側を手で押して回動操作する操作部６ｂと、からなり、この折曲部６ｃ付近が２本の支柱４、４に軸部５により回動自在に軸支されている。この押圧部６ａの裏面側には、保持体７を掛止するフック状の第二掛止部６ｄを有している。また、折曲部６ｃと操作部６ｂとの距離は、折曲部６ｃと押圧部６ａとの距離よりも、長くするとよい。  
【００２０】
チューブ３は、弾性を有する素材（例えば、シリコン樹脂など）を主体として形成される中空の管状であり、蓋体２の開孔部２ａに取付けられ、容器９内部と連通してチューブ３の注出口３ａより、容器９内部の液体Ｂを注出することができる。また、このチューブ３は、レバー６の押圧部６ａによって押圧されていない状態（開放状態）において、蓋体２上部の開孔部２ａから注出口３ａまでの間に折曲方向Ａ側のチューブ３の側部をあらかじめ閉塞状態にならない程度に凹ませておくとよい（図４(b)参照）。
【００２１】
保持体７は、弾性を有する素材（例えば、シリコン樹脂など）を主体としてリング状に形成される。この保持体７を、蓋体２の第一掛止部２ｂとレバー６の押圧部６ａに設けられた第二掛止部６ｄとに掛止して張架させることで、チューブ３の閉塞部３ｂの閉塞状態を保持することができる。
【００２２】
上述した構成によって、従来のチューブ３を挟持して閉塞させるものに比べて、テーパー状の押圧部６ａによりしっかりとチューブ３を閉塞状態にすることができ、保持体７の張力により液体洗剤などの密度や粘性の高い液体Ｂの液圧による閉塞部３ｂにかかる負荷に対しても閉塞状態を十分に保持することが可能である（図４(a)参照）。また、保持体７の張力に抗してレバー６の操作部６ｂをチューブの折曲方向Ａの反対方向に回動操作することで、チューブ３を開放状態にし、容器９内部の液体Ｂを注出することが可能である（図４(b)参照）。また、この回動操作をやめることで、保持体７の張力により閉塞状態（図４(a)参照）に戻すことが可能である。
【００２３】
また、上述した構成の容器蓋１を備えた容器９は、２本の支柱４、４である柱体と嵌合する略Ｕ字状の嵌合部８ａと、並列に配置された２つの吸着盤からなる吸着部８ｂ、８ｂと、吸着部８ｂ、８ｂと平行に配置されて嵌合部８ａと吸着部８ｂ、８ｂとを支持する支持体８ｃと、からなる取付部材８を有することが好ましい（図２参照）。      
【００２４】
この取付部材８は、図３に示すように、壁面や鏡面などの平面１０に対して吸着部８ｂ、８ｂで吸着させ、容器口９ａを下向きに位置させて容器９を倒立した状態で設置することができるとともに、容器９を持たずに片手のみでレバー６を回動操作する際に、吸着部８ｂ、８ｂ及び支持体８ｃの３点で支柱４、４（及び蓋体２）を支持させることで安定して液体Ｂを注出することが可能である。
【００２５】
この容器９の容器底に、液体Ｂの補給を容易にするため容器底を取り外し可能なキャップ９ｃと、そのキャップ９ｃに液体Ｂを連続的に注出を可能にするための空気孔９ｂと、を設けるとよい。
【００２６】
また、図５に示すように、蓋体２に第二開孔部２ｃを設け、第二チューブ１１を、チューブ３の注出口３ａから閉塞部３ｂと、レバー６の押圧部６ａと、の間に配設し、チューブ３の外側面に沿って隣接するように開孔部２ｃに取付けてもよく、この第二チューブ１１は、チューブ３に比べて、内径を小さくすることが好ましい。
【００２７】
第二チューブ１１は、レバー６の回動操作による第二チューブ１１の押圧・折曲と同時に、チューブ３の閉塞部３ｂ近傍を挟持して、チューブ３に閉塞部３ｂが形成されることで、チューブ３及び第二チューブ１１が閉塞状態になる（図６(a)参照）。また、保持体７の張力に抗してレバー６の操作部６ｂをチューブ３の折曲方向Ａの反対方向に回動操作することで、チューブ３が開放状態になると同時に、第二チューブ１１も開放状態になる（図６(b)参照）。
【００２８】
この容器９内部に空気を流入させる第二チューブ１１を蓋体２に設けることで、液体Ｂの注出を促進することができるとともに、一つのレバーの回動操作のみでチューブ３及び第二チューブ１１の閉塞状態及び開放状態を同時に行うことが可能である。
【００２９】
上記の実施形態では本発明の好ましい実施形態を例示したが、本発明は上記の実施形態に限定されるものではなく、特許請求の範囲に記載した範囲内で改善や変更が可能である。例えば、図７に示すように、鈍角からなる断面略への字形状のレバー６であって、その操作部６ｂの位置が、押圧部６ａに対して軸部５を中心におおよそ反対側に位置するものであってもよい。
【符号の説明】
【００３０】
１…容器蓋、２…蓋体、２ａ…開孔部、２ｂ…第一掛止部、２ｃ…第二開孔部、３…チューブ、３ａ…注出口、３ｂ…閉塞部、４…支柱、５…軸部、６…レバー、６ａ…押圧部、６ｂ…操作部、６c…折曲部、６ｄ…第二掛止部、７…保持体、８…取付部材、８ａ…嵌合部、８ｂ…吸着部、８ｃ…支持体、９…容器、９ａ…容器口、９ｂ…空気孔、９ｃ…キャップ、１０…壁面、１１…第二チューブ、１１ａ…空気口、１１ｂ…閉塞部、
Ａ…折曲方向、Ｂ…液体
【図１】
0006760623.tif 000002
【図２】
0006760623.tif 000003
【図３】
0006760623.tif 000004
【図４】
0006760623.tif 000005
【図５】
0006760623.tif 000006
【図６】
0006760623.tif 000007
【図７】
0006760623.tif 000008